【事件の表示】
　特願２０１７−５５４４９９号「視野角切換方法、装置、プログラム及び記録媒体」拒絶査定不服審判事件〔平成３０年９月２７日国際公開、ＷＯ２０１８／１７１１１２、令和１年５月３０日国内公表、特表２０１９−５１４０３１号〕について、次のとおり審決する。
【結　論】
　本件審判の請求は、成り立たない。
【理　由】
第１　手続の経緯
　本願は、平成２９年８月１７日の外国語特許出願であって（パリ条約による優先権主張、２０１７年３月２４日、中華人民共和国）、平成２９年１０月１６日に翻訳文及び手続補正書が提出され、令和元年５月１０日付けの拒絶理由通知に対し、同年８月１５日に意見書及び手続補正書が提出され、同年１０月８日付けの拒絶理由通知に対し、令和２年１月１０日に意見書及び手続補正書が提出されたところ、同年３月２日付けで拒絶査定（以下「原査定」という。）がされ（原査定の謄本の送達日：同年３月１０日）、これに対して、令和２年７月１日に拒絶査定不服審判の請求がされると同時に特許請求の範囲についての補正（以下「本件補正」という。）がされたものである。
第２　補正の却下の決定
［補正の却下の決定の結論］
　本件補正を却下する。
［補正の却下の決定の理由］
１　本件補正の概要
　本件補正は、以下の（１）に示される本件補正前の特許請求の範囲の請求項１の記載を、以下の（２）に示される本件補正後の特許請求の範囲の請求項１の記載に補正することを含むものである。下線は、補正箇所を示す。
（１）本件補正前
「【請求項１】
　視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
　前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
　前記ディスプレイスクリーンを狭視野角と広視野角との間で切り換え、且つ前記画像の画像階調を前記目標階調値に設定するステップと、及び、
　第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップと、を含み、
　前記ディスプレイスクリーンの現在の視野角及び前記画像階調値に基づいて、目標階調値を決定するステップは、
　前記ディスプレイスクリーンの現在の視野角及び前記画像階調値に基づき、予め設定された調整曲線によって前記目標階調値を決定し、前記予め設定された調整曲線の各点において、現在の視野角における現在の画像階調値に対応するスクリーンの輝度と切り換えられた後の視野角における目標階調値に対応するスクリーンの輝度とが同じであるステップを含む
　ことを特徴とする視野角切換方法。」
（２）本件補正後
「【請求項１】
　視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
　前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
　前記ディスプレイスクリーンを狭視野角と広視野角との間で切り換え、且つ前記画像の画像階調を前記目標階調値に設定するステップと、及び、
　第１の予め設定の輝度曲線
における画像階調と
における画像階調との関係
　前記ディスプレイスクリーンの現在の視野角及び前記画像階調値に基づいて、目標階調値を決定するステップは、
　前記ディスプレイスクリーンの現在の視野角及び前記画像階調値に基づき、予め設定された調整曲線によって前記目標階調値を決定し、前記予め設定された調整曲線の各点において、現在の視野角における現在の画像階調値に対応するスクリーンの輝度と切り換えられた後の視野角における目標階調値に対応するスクリーンの輝度とが同じであるステップを含む
　ことを特徴とする視野角切換方法。」
２　本件補正についての当審の判断
　本件補正は、請求項１の「予め設定された調整曲線」について、本件補正前は「第１の予め設定の輝度曲線及び第２の予め設定の輝度曲線に基づいて」「生成」するとしていたものを、本件補正後は「第１の予め設定の輝度曲線における画像階調と第２の予め設定の輝度曲線における画像階調との関係に基づいて」「生成」すると補正することを含み、「予め設定された調整曲線」の「生成」に係る事項を限定するものである。
　そして、本件補正前の請求項１に記載された発明と、本件補正後の請求項１に記載される発明は、産業上の利用分野及び解決しようとする課題が同一であるので、本件補正は、特許法１７条の２第５項２号に規定する特許請求の範囲の減縮を目的とするものに該当する。
　そこで、以下では、本件補正後における請求項１に記載されている事項により特定される発明（以下「本件補正発明」という。）が特許出願の際独立して特許を受けることができるものであるか否か、すなわち、特許法１７条の２第６項において準用する同法１２６条７項の規定に適合するか否か、について検討する。
（１）本件補正発明
　本件補正発明は、次に特定されるとおりのものである。
「視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
　前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
　前記ディスプレイスクリーンを狭視野角と広視野角との間で切り換え、且つ前記画像の画像階調を前記目標階調値に設定するステップと、及び、
　第１の予め設定の輝度曲線における画像階調と第２の予め設定の輝度曲線における画像階調との関係に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップと、を含み、
　前記ディスプレイスクリーンの現在の視野角及び前記画像階調値に基づいて、目標階調値を決定するステップは、
　前記ディスプレイスクリーンの現在の視野角及び前記画像階調値に基づき、予め設定された調整曲線によって前記目標階調値を決定し、前記予め設定された調整曲線の各点において、現在の視野角における現在の画像階調値に対応するスクリーンの輝度と切り換えられた後の視野角における目標階調値に対応するスクリーンの輝度とが同じであるステップを含む
　ことを特徴とする視野角切換方法。」
（２）引用文献
　ア　引用文献１
　原査定の拒絶の理由において引用された米国特許出願公開第２００９／００６７１５６号明細書（以下「引用文献１」という。）には、図面とともに次の事項が記載されている。下線は当審が付した。日本語訳は当審が作成したものである。
「[0001]　The present invention relates to 
an illumination system for use, for example, in a display device
a display device which is switchable between a private viewing mode and a public viewing mode
（日本語訳）
[0001]　本発明は、例えば、
表示装置において使用する照明システム
プライベート視野モードとパブリック視野モードの間で切り替え可能な表示装置
「[0005]　
Liquid crystal display devices typically use cold cathode fluorescent tubes as backlights
（日本語訳）
[0005]　
液晶表示装置は、通常バックライトとして冷陰極蛍光管を用いている
「[0138]　FIGS. 3(A) and (B) illustrate a display device 30 according to a first embodiment of the present invention. 
The display device 30 comprises a display panel 31 which is illuminated by an illumination system 32
The illumination system 32 comprises a first light source 34 and a second light source 36
Light from the first light source 34 is distributed by a first waveguide 38 to an output surface of the waveguide 38 having a single illumination region corresponding generally in shape and size to the display panel 31
Light from the second light source 36 is distributed by a second waveguide 40 to an output surface of the waveguide 40 corresponding in the shape and size to that of the display panel 31
the first and second light sources 34 and 36 disposed to the side of their respective waveguides 38 and 40
（日本語訳）
[0138]　図３（Ａ）及び（Ｂ）は、本発明の第１の実施形態に係る表示装置３０を示す。
表示装置３０は、照明システム３２によって照明される表示パネル３１を備えている
照明システム３２は、第１光源３４及び第２光源３６を備えている
第１光源３４からの光は、第１導波路３８によって、当該第１導波路３８の出力面に分配されており、この出力面は、形状及びサイズにおいて表示パネル３１に概ね対応した単一の照明領域を有している
第２光源３６からの光は、第２導波路４０によって、当該第２導波路４０の出力面に分配されており、この出力面は、形状及びサイズにおいて表示パネル３１に対応している
第１及び第２光源３４及び３６は、それぞれ第１導波路３８及び第２導波路４０の側方に配置されている
「[0139]　
The first waveguide 38 is adapted to cooperate with the first light source 34 to produce output light having a first angular illumination range which is relatively narrow, while the second light source 36 is adapted to cooperate with the second waveguide 40 to produce output light having a second angular illumination range which is relatively wide in comparison to the first angular illumination range
（日本語訳）
[0139]　
第１導波路３８は、第１光源３４と協働して、相対的に狭い第１照射角度範囲を有する出力光を生成するように構成されている
また、第２光源３６は、第２導波路４０と協働して、第１照射角度範囲に比べて相対的に広い第２照射角度範囲を有する出力光を生成するように構成されている
「[0140]　
The illumination system 32 is operable selectively in a first mode in which the first light source 34 is on and the second light source 36 is off, and in a second mode in which the first light source 34 is off and the second light source 36 is on
In the first mode, 
 the output light has an angular illumination range which is narrower than that in the second mode
In the context of the display device 30, the first mode is a private mode and the second mode is a public mode, and the display device 30 is operable selectively in either of these two modes
（日本語訳）
[0140]　
照明システム３２は、第１光源３４が点灯し第２光源３６が消灯する第１モードと、第１光源３４が消灯し第２光源３６が点灯する第２モードにおいて、選択的に操作可能である
第１モードでは、出力光は、第２モードの場合よりも狭い照射角度範囲を有している
表示装置３０としては、第１モードは、プライベートモードであり、第２モードは、パブリックモードであり、表示装置３０はこれら２つのモードのいずれかで選択的に動作可能である
「[0141]　In this embodiment, 
the wider angular illumination range provided by the second light source 36 in cooperation with the second waveguide 40 results from the design of the second waveguide 40 which includes a scattering or diffusing layer incorporated into the top (or bottom, or both) of the waveguide 40
（日本語訳）
[0141]　この実施形態において、
第２導波路４０と協働して第２光源３６によって、より広い照射角度範囲が提供されるのは、導波路４０の頂部(又は底部、又はその両方)に組み込まれた散乱層又は拡散層を含む第２導波路４０の設計によるものである
「[0142]　The first embodiment has the advantage of simplicity of construction (and therefore low cost), good viewing angle selection and high brightness in both modes. 
The brightness of each light source may be adjusted to achieve the required brightness balance between the two modes
（日本語訳）
[0142]　第１の実施形態は、構造の単純性(したがって低コスト)、良好な視野角選択及び双方のモードにおける高輝度性という利点を有している。
各光源の輝度は、２つのモード間において要求される明るさのバランスを達成するように調整することができる。
「[0214]　In each of the above embodiments, 
light derived from the first light source may not have the same colour balance or luminance as light derived from the second light source
A display device embodying the present invention can be adapted to correct for any such colour and/or luminance difference by adjusting the image grey level of the image formed at the display panel in the first and/or second mode to maintain the visual appearance of the image when switching between modes
（日本語訳）
[0214]　上記各実施形態では、
第１光源から発した光は、第２光源からの光と同じ色バランス又は輝度を有していないかもしれない
モード切替時における画像の視覚的な外観を維持するために、第１及び／又は第２モードにおいて、表示パネルに形成された画像のグレーレベルを調整することによって、そのような色の差及び/又は輝度差を補正できるようになっている
「図３Ａ
」
「図３Ｂ
」
　イ　引用発明の認定
　上記アの記載内容及び図示内容を総合すれば、引用文献１には、以下の発明（以下「引用発明」という。）が記載されていると認められる。
［引用発明］
「プライベート視野モードとパブリック視野モードの間で切り替え可能な表示装置３０で使用する照明システム３２において、（[0001]）
　表示装置３０の表示パネル３１は、バックライトとして第１光源３４及び第２光源３６を備える照明システム３２によって照明され、照明システム３２は、第１光源３４が点灯し第２光源３６が消灯する第１モードと、第１光源３４が消灯し第２光源３６が点灯する第２モードを選択して操作可能であり、（［0005］、［0138］、［0140］、図３Ａ、図３Ｂ）
　第１モードの出力光は、第２モードの場合よりも狭い照射角度範囲を有しており、第１モードは、表示装置３０のプライベート視野モードであり、第２モードは、表示装置３０のパブリック視野モードであり、表示装置３０はこれら２つのモードのいずれかで選択的に動作可能であり、（［0140］）
　第１及び第２光源３４及び３６は、それぞれ第１導波路３８及び第２導波路４０の側方に配置されており、（［0138］）
　第１光源３４からの光は、第１導波路３８によって、当該第１導波路３８の出力面に分配され、この出力面は、形状及びサイズにおいて表示パネル３１に概ね対応した単一の照明領域を有しており、第１導波路３８は、第１光源３４と協働して、相対的に狭い第１照射角度範囲を有する出力光を生成するように構成されており、（［0138］、［0139］）
　第２光源３６からの光は、第２導波路４０によって、当該第２導波路４０の出力面に分配されており、この出力面は、形状及びサイズにおいて表示パネル３１に対応しており、第２導波路４０の頂部(又は底部、又はその両方)に組み込まれた散乱層又は拡散層によって、第１照射角度範囲に比べて相対的に広い第２照射角度範囲を有する出力光を生成するように構成されており、（［0138］、［0139］、［0141］）
　第１光源３４から発した光は、第２光源３６からの光と同じ色バランス又は輝度を有しておらず、モード切替時における画像の視覚的な外観を維持するために、第１及び／又は第２モードにおいて、表示パネル３１に形成された画像のグレーレベルを調整することによって、そのような色の差及び/又は輝度差を補正できるようになっている、（［0214］）
照明システム３２。」
　ウ　引用文献２
　原査定の拒絶の理由において引用された特開２００８−２８１７６８号公報（以下「引用文献２」という。）には、図面とともに次の事項が記載されている。下線は当審が付した。
「【００３９】
　図３は、図１の携帯電話機１の構成例を示したブロック図であり、携帯電話機１内の機能構成の一例が示されている。この
携帯電話機１は
メインディスプレイ１０１
視野角切替キー２０２
表示制御部１７及び視野角切替部２０を備えている
メインディスプレイ１０１は、バックライト１５及び液晶パネル１８によって構成される
【００４０】
　液晶パネル１８は、表示画面を有し、ピクセルごとに輝度の異なる階調表示を行うことが可能な表示装置である。バックライト１５は、液晶パネル１８に対して背面側から光を照射する光源装置であり、例えば、ＬＥＤ（発光ダイオード）などの発光素子が用いられている。
【００４１】
　ここで、
液晶パネル１８を所定の視野角で閲覧させる動作モードを広視野モードと呼び、上記所定の視野角よりも狭い狭視野角で閲覧させる動作モードを狭視野モードと呼ぶことにする
視野角切替部２０は、ユーザによる視野角切替キー２０２の操作に基づいて、広視野モード及び狭視野モードを切り替える動作を行っている
「【００４６】
　画像データ生成部１６は、メインディスプレイに１０１に表示させる画像データを生成する手段であり、画像データ生成部１６によって生成される画像データは、少なくともピクセルごとの輝度を示す階調データを含んでいる。なお、この画像データ生成部１６は、外光強度やバックライト輝度とは無関係に所望の画像データを生成している。表示制御部１７は、画像データ生成部１６によって生成された画像データに基づいて液晶パネル１８を制御し、画像情報を液晶パネル１８の表示画面上に表示させる動作を行っている。
【００４７】
　この表示制御部１７には、画像データを構成する階調データを高輝度側へシフトさせる階調変換部１９が設けられている。この階調変換部１９は、画像データを構成する少なくとも一部の階調データを変更することにより、画像データ自体を高輝度化させている。
表示制御部１７は、狭視野モード時には階調変換部１９により高輝度化された画像データを液晶パネル１５に表示させる
一方、広視野モード時には、階調変換部１９によって変換されていない画像データを液晶パネル１５に表示させる
「【００５５】
　図５は、図３の階調変換部１９の動作の一例を示した図であり、階調データを高輝度側へシフトさせる変換特性の一例が示されている。この変換特性は、入力画像データを構成する一部のピクセルについて、その階調データを高輝度側へシフトさせて、入力画像データを出力画像データへ変換する際に用いられる階調変換部１９の変換特性である。ここでは、階調レベルとして０〜２５５を使用する入力画像データが、階調レベル０〜２５５の画像データであって、０〜２５５よりも狭い階調レベル範囲のみを使用する出力画像データに変換され、ピクセル間の階調差を縮小させる特性となっているものとする。
【００５６】
　具体的には、入力画像データ内の０以上ｄ１（例えば、ｄ１＝１２３）以下の階調データが、一定値ｄ２（例えば、ｄ２＝１２３）に変換され、出力画像データとして出力される。また、階調レベルｄ１を越える入力画像データは、そのままの値で出力画像データとして出力される。つまり、この変換特性では、低階調側の画像データを階調レベルｄ２に変換するとともに、高階調側の画像データをそのまま出力させることにより、ピクセル間の階調差を縮小させている。」
「【００７１】
　図９は、図３の階調変換部１９の動作の一例を示した図であり、階調データを高輝度側へシフトさせる際の変換特性の他の一例が示されている。この変換特性は、入力画像データを構成する各ピクセルについて、その階調データを高輝度側へシフトさせ、入力画像データを出力画像データへ変換する際に用いられる階調変換部１９の変換特性である。ここでは、階調レベルとして０〜２５５を使用する入力画像データが、階調レベル０〜２５５の画像データであって、０〜２５５よりも狭い階調レベル範囲のみを使用する出力画像データに変換され、ピクセル間の階調差を縮小させる特性となっているものとする。
【００７２】
　上記変換特性は、傾きが４５度よりも小さな直線により表され、階調レベル０の入力画像データが階調レベルｄ３（例えば、ｄ３＝１２３）に変換されている。階調レベル２５５の入力画像データは、そのままの階調レベル２５５に変換されている。つまり、この変換特性では、低階調側の画像データほど大きく高輝度側へシフトさせることにより、画像データを高輝度化させるとともに、ピクセル間の階調差を縮小させている。」
「【図３】
」
「【図５】
」
「【図９】
」
　エ　周知技術の認定
（ア）引用文献２の記載事項（【００３９】、【００４１】、【００４７】、【図３】）から、次の技術事項が認定できる（以下「引用文献２記載事項」という。）
［引用文献２記載事項］
「バックライト１５及び液晶パネル１８によって構成されるメインディスプレイ１０１、視野角切替キー２０２、視野角切替部２０、表示制御部１７を備えた携帯電話機１において、（【００３９】）
　ユーザによる視野角切替キー２０２の操作に基づいて、視野角切替部２０が、液晶パネル１８を所定の視野角で閲覧させる広視野モードと、上記所定の視野角よりも狭い狭視野角で閲覧させる狭視野モードを切り替える動作を行い、（【００４１】、【図３】）
　表示制御部１７が、狭視野モード時には階調変換部１９により画像データを構成する階調データを高輝度側へシフトさせて、高輝度化された画像データを液晶パネル１５に表示させ、広視野モード時には、階調変換部１９によって変換されていない画像データを液晶パネル１５に表示させること。
（【００４７】）」
（イ）引用文献２記載事項において、「視野角切替部２０」は、「ユーザによる視野角切替キー２０２の操作に基づいて」、「広視野モード」と「狭視野モード」を「切り替える動作を行」うから、この「ユーザによる視野角切替キー２０２の操作」は、表示を狭視野モードと広視野モードの間で切り替えるように指示するための視野角の切替え命令であるといえる。
　また、「視野角切替部２０」は、このような命令に基づいて「切り替える動作を行」うから、このような命令を検出しており、切り替え前の現在の視野角モードが「狭視野モード」、「広視野モード」のいずれであるかを判定しているといえる。
（ウ）引用文献２記載事項において、「表示制御部１７」は、「狭視野モード時には階調変換部１９により画像データを構成する階調データを高輝度側へシフトさせ」、「広視野モード時には、階調変換部１９によって変換」せずにそのままの階調データで表示するから、切り替え前の現在のモードが「広視野モード」、「狭視野モード」のいずれであっても、表示されている画像の現在のモードにおける現在の画像階調値を取得しているといえる。
（エ）上記（イ）及び（ウ）を踏まえると、次の技術事項は周知なものであるといえる（以下「周知技術」という。）
［周知技術］
「表示を狭視野モードと広視野モードとの間で切り替えるように指示するための視野角の切替え命令が検出されたとき、切り替え前の現在のモードが狭視野モード、広視野モードのいずれであるかを判定し、表示されている画像の現在のモードにおける現在の画像階調値を取得すること」
　オ　引用文献３
　当審が新たに引用する特開２０１３−１５６５９４号公報（以下「引用文献３」という。）には、図面とともに次の事項が記載されている。下線は当審が付した。
「【００４６】
［狭視野角モードの際のガンマカーブ変換処理の詳細］
　本実施形態において、前記狭視野角モードの際に前記オリジナル画像データＯＰに対して施す所定のガンマカーブ変換処理は、以下のような演算を基に予め生成若しくは用意された変換テーブルを用いて行われる。
【００４７】
　図６には、前記ＶＡタイプの液晶パネルが備えているガンマカーブと、前記所定のガンマカーブ変換演算後のガンマカーブとを示す。なお、図６において、横軸は色の階調ｉ、縦軸は輝度Ｙを表し、液晶パネルを正面から見て階調ｉが“０”（黒色）となっている時の輝度Ｙが“０”、正面から見て階調が“２５５”（白色）となっている時の輝度Ｙが“１”となされている。また、この図６において、図中実線で示す曲線は、前記図２同様に当該液晶パネルを正面から見た正面視の場合のガンマカーブ変換演算前のガンマカーブを表し、図中の点線で示す曲線は、前記図２同様に当該液晶パネルを斜めから見た斜め視の場合のガンマカーブ変換演算前のガンマカーブを表している。また、この図６において、図中一点鎖線で示す曲線は、当該液晶パネルを正面から見た正面視の場合のガンマカーブ変換演算後のガンマカーブを表し、図中の二点鎖線で示す曲線は、当該液晶パネルを斜めから見た斜め視の場合のガンマカーブ変換演算後のガンマカーブを表している。
【００４８】
　ここで、ガンマカーブ変換演算は、下記式（１）〜式（４）により表される。但し、
下記式中のｉは広視野角モード時に入力する色の階調（０〜２５５の範囲）を表し、Ｙcal(i)は変換演算後のｉ階調目の輝度を、Ｙdef(i)は変換演算前のｉ階調目の液晶パネルの実際の輝度を
表している
【００４９】
　
Ｙcal(i)＝Ａ×Ｙdef(i)＋Ｂ　　　　　　　　　　　　・・・（１）
　Ａ＝（Ｙdef(255)−Ｃ）／（Ｙdef(255)−Ｙdef(0)）　・・・（２）
　Ｂ＝｛（Ｃ−Ｙdef(0)）×Ｙdef(255)｝／（Ｙdef(255)−Ｙdef(0)）・・・（３）
　Ｃ＝Ｙdef(255)／ＣＲcal　　　　　　　　　　　　　・・・（４）
　そして、前記式（１）〜式（４）において、
Ｙcal(i)をｉ＝０〜２５５階調まで求める
【００５０】
　その後、
下記式（５）となるように、階調ｊと階調ｉの変換テーブルを算出する。但し、下記式中、ｊは狭視野角モード時に入力する色の階調（０〜２５５の範囲）を示し、それら階調ｊと階調ｉは図７に示す関係を有する
図７において、横軸は広視野角モードの時の階調をｉ、横軸は狭視野角モードの時の階調ｊを示しており、それら階調は０〜２５５の範囲を有する
【００５１】
　
Ｙcal(i）≒Ｙdef(j)　　　　　　　　　　　　　　　　・・・（５）
　その後、本実施形態において、前記
狭視野角モードの時には
下記式（６）により、前記オリジナル画像データＯＰに対してガンマカーブ変換処理が施された、前記ガンマカーブ変換処理後の画像データＣＰを生成する
【００５２】
　
ｊ＝Ｘ(i）　　　　　　　　　　　　　　　　　　　　　・・・（６）
　本実施形態において、前記ガンマカーブ変換処理の前後のガンマカーブを比較すると、図６に示すように、正面視の場合のガンマカーブは、前記ガンマカーブ変換処理前の輝度Ｙdef(i)に対してガンマカーブ変換処理後の輝度Ｙcal(i)が高くなされている。また、斜め視の場合のガンマカーブは、低階調側では前記ガンマカーブ変換処理前後における輝度差がさほど変わっていないに対し、高階調側ではガンマカーブ変換処理前の輝度差に対してガンマカーブ変換処理後の輝度差が小さくなされている。すなわち、前述の図２と同様に、前記低階調側の階調ｉｘ０から階調ｉｘ１の間の輝度差と、高階調側の階調ｉｘ２から階調ｉｘ３の間の輝度差とを例に挙げた場合、低階調側では、前記ガンマカーブ変換処理前の輝度差ｙｂとガンマカーブ変換処理後の輝度差ｙｂ'はさほど変わっていないが、高階調側では、前記ガンマカーブ変換処理前の輝度差ｙｄに対してガンマカーブ変換処理後の輝度差ｙｄ'が小さくなっている。」
「【図６】
」
「【図７】
」
　カ　技術常識の認定
（ア）引用文献３の段落【００４８】及び【００４９】の記載事項から明らかなように、広視野角モード時に入力する色の階調ｉ（ｉ＝０〜２５５）と液晶パネルの輝度Ｙの間には、所定の関数関係Ｙcal（ｉ）が成立しており、同様に、段落【００５０】及び【００５１】の記載事項から明らかなように、狭視野角モード時に入力する色の階調ｊ（ｊ＝０〜２５５）と液晶パネルの輝度Ｙの間には、所定の関数関係Ｙdef（ｊ）が成立している。
　そして、ｉ、ｊ＝０〜２５５の範囲で横軸に階調ｉ又はｊ、縦軸に輝度Ｙcal（ｉ）又はＹdef（ｊ）をとれば、階調と輝度の関係を示す曲線を描くことができる。
（イ）引用文献３の段落【００５０】〜【００５２】及び【図７】に記載されているように、視野角を制御しても輝度が変わらないという条件を満たすための、広視野角モード時に入力する色の階調ｉと狭視野角モード時に入力する色の階調ｊとの間の変換式を求めるには、広視野角モードの輝度関数の値と、狭視野角モードの輝度関数の値が等しくなるような階調ｉと階調ｊの関係を求めればよい。
　すなわち、視野角を制御しても輝度が変わらないという条件を満たすｉとｊの対応関係を求めることは、段落【００５１】の式（５）「Ｙcal(i）≒Ｙdef(j)」を満たすｉ、ｊの対応関係を求めることであり、この場合のｉからｊへの変換式が、段落【００５２】の式（６）「ｊ＝Ｘ(i）」であり、式（６）をｉｊ平面に描いたものが、【図７】に示された曲線に他ならないことを引用文献３は示している。
（ウ）ここで、広視野角モード時に成立する所定の関数関係Ｙcal（ｉ）と狭視野角モード時に成立する所定の関数関係Ｙdef（ｊ）は、一般に異なるものであるから、両者の関数形の違いを強調するため、改めて次のような輝度を表す関数ｆ及びｇを定義する。
　広視野角モードの輝度関数：ｆ（ｉ）　＝　Ｙcal（ｉ）
　狭視野角モードの輝度関数：ｇ（ｊ）　＝　Ｙdef（ｊ）
ｉは広視野角モード時に入力する色の階調値でｉ＝０〜２５５の値をとる。
ｊは狭視野角モード時に入力する色の階調値でｊ＝０〜２５５の値をとる。
（エ）ここで、上記（ウ）において定義した輝度関数ｆとｇを用いれば、輝度値が同じであるｉとｊの対応関係を求めることは、ｆ（ｉ）＝ｇ（ｊ）が成立するような階調ｉと階調ｊの対応関係を求めることになる。ここで、引用文献３の【図６】に示されるように階調と輝度の関係は、通常一対一対応（全単射）であるから、輝度関数ｆ、ｇのいずれについても、それぞれ逆関数ｆ−１、ｇ−１が存在することは明らかである。
　そうすると、ｆ（ｉ）＝ｇ（ｊ）が、次の２つの変換式に変形できることは、初等数学の基本事項にすぎず、当業者には自明のことである。
　変換式１
　　　ｊ　＝　ｇ−１（ｆ（ｉ））　＝　（ｇ−１・ｆ）（ｉ）
　変換式２
　　　ｉ　＝　ｆ−１（ｇ（ｊ））　＝　（ｆ−１・ｇ）（ｊ）
ただし、演算記号「・」は、合成関数であることを示す。
（オ）変換式１「ｊ＝（ｇ−１・ｆ）（ｉ）」は、広視野角モードから狭視野角モードに切り換える際に、広視野角モード時の階調値ｉから狭視野角モード時の階調値ｊを求めるために使用する式であり、求められた階調値ｊを入力すれば、切り換えの前後で輝度を同じにすることができる。
（カ）変換式２「ｉ＝（ｆ−１・ｇ）（ｊ）」は、狭視野角モードから広視野角モードに切り換える際に、狭視野角モード時の階調値ｊから広視野角モード時の階調値ｉを求めるために使用する式であり、求められた階調値ｉを入力すれば、切り換えの前後で輝度を同じにすることができる。
（キ）以上の検討内容をまとめると、次の技術事項は、当業者にとって技術常識であったと認められる。
[技術常識]
「狭視野角モードと広視野角モードの間で切り換えが可能な液晶パネルの表示において、切り換え前のモードと切り換え前に表示されている画像の階調値から、切り換えの前後で液晶パネルの輝度値が同じになるように、切り換え後に表示される画像の階調値を所定の変換式を用いて求める際の変換式は、広視野角モード時の液晶パネルの輝度の関数ｆ（ｉ）における入力階調ｉと、狭視野角モード時の液晶パネルの輝度の関数ｇ（ｊ）における入力階調ｊとの関係に基づいて、定められた次式
「ｊ＝（ｇ−１・ｆ）（ｉ）」又は「ｉ＝（ｆ−１・ｇ）（ｊ）」であること。
　ただし、ｉは広視野角モード時に入力する色の階調値でｉ＝０〜２５５の値をとり、ｊは狭視野角モード時に入力する色の階調値でｊ＝０〜２５５の値をとる。また、演算記号「・」は、合成関数であることを示す。」
（３）対比
　本件補正発明と引用発明を対比する。
　ア　引用発明の「表示装置３０の表示パネル３１」は、本件補正発明の「ディスプレイスクリーン」に相当する。
　また、引用発明の「表示装置３０のプライベート視野モード」は、「照明システム３２」において「第１モード」を選択した場合の表示態様であり、「表示装置３０のパブリック視野モード」は、「照明システム３２」において「第２モード」を選択した場合の表示態様であり、「第１モードの出力光は、第２モードの場合よりも狭い照射角度範囲を有して」いるから、引用発明の「表示装置３０のプライベート視野モード」及び「表示装置３０のパブリック視野モード」は、それぞれ本件補正発明の「ディスプレイスクリーンが狭視野角になる場合」及び「ディスプレイスクリーンが広視野角になる場合」に相当する。
　そうすると、引用発明の「表示装置３０」において「プライベート視野モードとパブリック視野モードの間で切り替え」ることは、本件補正発明の「ディスプレイスクリーンを狭視野角と広視野角との間で切り換える」ことに相当する。
　イ　引用発明では、「第２光源３６からの光」は、「第２導波路４０の頂部(又は底部、又はその両方)に組み込まれた散乱層又は拡散層によって、第１照射角度範囲に比べて相対的に広い第２照射角度範囲を有する出力光」となるから、「バックライト」としての「第２光源３６」は、本件補正発明の「発散バックライト」に相当する。
　また、引用発明では、「第１光源３４からの光」は、「相対的に狭い第１照射角度範囲を有する出力光」となるから、「バックライト」としての「第１光源３４」は、本件補正発明の「平行バックライト」に相当する。
　ウ　上記ア及びイの検討内容を踏まえると、本件補正発明と引用発明は、「ディスプレイスクリーンを狭視野角と広視野角との間で切り換えるために、前記ディスプレイスクリーンが狭視野角になる場合に平行バックライトを利用し、前記ディスプレイスクリーンが広視野角になる場合に発散バックライトを利用するステップ」を含む点で共通する。
　エ　引用発明では、「第１光源３４から発した光は、第２光源３６からの光と同じ色バランス又は輝度を有しておらず、モード切替時における画像の視覚的な外観を維持するために、第１及び／又は第２モードにおいて、表示パネル３１に形成された画像のグレーレベルを調整することによって、そのような色の差及び/又は輝度差を補正できるようになっている」から、例えば、「第１光源３４が点灯し第２光源３６が消灯する第１モード」から「第１光源３４が消灯し第２光源３６が点灯する第２モード」に切り替える場合に、切り替えの前後での「画像の視覚的な外観を維持するために」、切り替え前の「第１光源３４」からの「相対的に狭い第１照射角度範囲を有する出力光」による「表示パネル３１」の「輝度」と、切り替え後の「第２光源３６」からの「相対的に広い第２照射角度範囲を有する出力光」による「表示パネル３１」の「輝度」が「同じ」になるように、切り替え後の「画像のグレーレベルを調整することによって」「輝度差を補正」しているといえる。
　ここで、切り替え前の「表示パネル３１」の「輝度」は、本件補正発明の「切り換える前のスクリーンの輝度値」に相当し、切り替え後の「表示パネル３１」の「輝度」は、本件補正発明の「切り換えられた後の視野角」における「スクリーンの輝度値」に相当する。
　また、切り替え後の「画像のグレーレベルを調整することによって」「輝度差を補正」することは、本件補正発明の「切り換えられた後の視野角において、切り換える前のスクリーンの輝度値と同じスクリーンの輝度値を取得することができる階調値を決定する」ことに相当する。
　オ　上記エの検討内容を踏まえると、本件補正発明と引用発明は、「切り換えられた後の視野角において、切り換える前のスクリーンの輝度値と同じスクリーンの輝度値を取得することができる階調値を決定するステップ」を含む点で共通し、かつ、「前記ディスプレイスクリーンを狭視野角と広視野角との間で切り換え、且つ前記画像の画像階調を前記決定された階調値に設定するステップ」を含む点で共通する。
　カ　引用発明の「プライベート視野モードとパブリック視野モードの間で切り替え可能な表示装置３０で使用する照明システム３２」を用いて「プライベート視野モードとパブリック視野モードの間」を「切り替え」ることは、本件補正発明の「視野角切換方法」に相当する。
　上記ア〜カより、本件補正発明と引用発明は、以下の一致点で一致し、以下の相違点１及び相違点２で相違する。
［一致点］
「ディスプレイスクリーンを狭視野角と広視野角との間で切り換えるようにするために、前記ディスプレイスクリーンが狭視野角になる場合に平行バックライトを利用し、前記ディスプレイスクリーンが広視野角になる場合に発散バックライトを利用するステップと、
　切り換えられた後の視野角において、切り換える前のスクリーンの輝度値と同じスクリーンの輝度値を取得することができる階調値を決定するステップと、
　前記ディスプレイスクリーンを狭視野角と広視野角との間で切り換え、且つ前記画像の画像階調を前記決定された階調値に設定するステップと、
を含む視野角切換方法。」
［相違点１］
　本件補正発明は、「ディスプレイスクリーンを狭視野角と広視野角との間で切り換えるように指示するための」「視野角の切換え命令が検出された場合、ディスプレイスクリーンの現在の視野角を決定し、且つ表示されている画像の現在の画像階調値を取得」するのに対して、引用発明は、そのような構成を含むのか明らかではない点。
［相違点２］
　「決定」される「階調値」が、本件補正発明では、「前記ディスプレイスクリーンの現在の視野角及び前記画像階調値に基づいて」「予め設定された調整曲線によって」「決定」される「目標階調値」であって、「前記予め設定された調整曲線の各点において、現在の視野角における現在の画像階調値に対応するスクリーンの輝度と切り換えられた後の視野角における目標階調値に対応するスクリーンの輝度とが同じである」ように「決定」される「目標階調値」であり、「前記予め設定された調整曲線」は、「狭視野角における画像階調とスクリーンの輝度との関係を示すための」「第１の予め設定の輝度曲線における画像階調」と、「広視野角における画像階調とスクリーンの輝度との関係を示すための」「第２の予め設定の輝度曲線における画像階調」との「関係に基づいて」「生成」されるものであるのに対して、引用発明は、そのような構成を備えているか明らかではない点。
（４）判断
　ア　相違点１について
（ア）表示を狭視野モードと広視野モードとの間で切り替えるように指示するための視野角の切替え命令が検出されたとき、切り替え前の現在のモードが狭視野モード、広視野モードのいずれであるかを判定し、表示されている画像の現在のモードにおける現在の画像階調値を取得することは、周知技術である（前記（２）エ（エ）参照）。
（イ）ここで、引用発明は、「表示装置３０」の「プライベート視野モード」と「パブリック視野モード」の「２つのモードのいずれかで選択的に動作可能」であるから、引用発明に上記周知技術を適用して、表示装置３０のプライベート視野モードとパブリック視野モードとの間で切り替えるように指示するための視野角の切替え命令が検出された場合、表示装置３０の現在のモードがプライベート視野モード、パブリック視野モードのいずれであるかを決定し、且つ表示されている画像の現在のモードにおける画像階調値を取得するようにすることにより、上記相違点１に係る本件補正発明の構成とすることは、当業者が容易に想到し得たことである。
　イ　相違点２について
（ア）狭視野角モードと広視野角モードの間で切り換えが可能な液晶パネルの表示において、切り換え前のモードと切り換え前に表示されている画像の階調値から、切り換えの前後で液晶パネルの輝度値が同じになるように、切り換え後に表示される画像の階調値を所定の変換式を用いて求める際の変換式が、広視野角モード時の液晶パネルの輝度の関数ｆ（ｉ）における入力階調ｉと、狭視野角モード時の液晶パネルの輝度の関数ｇ（ｊ）における入力階調ｊとの関係に基づいて、定められた式ｊ＝（ｇ−１・ｆ）（ｉ）又はｉ＝（ｆ−１・ｇ）（ｊ）であることは、当業者にとって技術常識であったと認められる（前記（２）カ（キ）参照）。
　ただし、ｉは広視野角モード時に入力する色の階調値でｉ＝０〜２５５の値をとり、ｊは狭視野角モード時に入力する色の階調値でｊ＝０〜２５５の値をとる。また、演算記号「・」は合成関数であることを示す。
（イ）ここで、上記「狭視野角モード時の液晶パネルの輝度の関数ｇ（ｊ）」は、狭視野角モード時における画像階調ｊと液晶パネルの輝度の関係を示すものであり、横軸に階調ｊを連続変数としてとり、縦軸に輝度Ｙをとって関数Ｙ＝ｇ（ｊ）のグラフを描けば曲線となるから、本件補正発明の「狭視野角における画像階調とスクリーンの輝度との関係を示すための」「第１の予め設定の輝度曲線」に対応する。
（ウ）同様に、上記「広視野角モード時の液晶パネルの輝度の関数ｆ（ｉ）」は、広視野角モード時における画像階調ｉと液晶パネルの輝度の関係を示すものであり、横軸に階調ｉを連続変数としてとり、縦軸に輝度Ｙをとって関数Ｙ＝ｆ（ｉ）のグラフを描けば曲線となるから、本件補正発明の「広視野角における画像階調とスクリーンの輝度との関係を示すための」「第２の予め設定の輝度曲線」に対応する。
（エ）また、「広視野角モード時の液晶パネルの輝度の関数ｆ（ｉ）における入力階調ｉと、狭視野角モード時の液晶パネルの輝度の関数ｇ（ｊ）における入力階調ｊとの関係に基づいて、定められた」「変換式」「ｊ＝（ｇ−１・ｆ）（ｉ）又はｉ＝（ｆ−１・ｇ）（ｊ）」は、ｉｊ平面又はｊｉ平面に連続関数としてグラフを描けば曲線となるから、本件補正発明の「狭視野角における画像階調とスクリーンの輝度との関係を示すための」「第１の予め設定の輝度曲線における画像階調」と、「広視野角における画像階調とスクリーンの輝度との関係を示すための」「第２の予め設定の輝度曲線における画像階調」との「関係に基づいて」「生成」される「前記予め設定された調整曲線」に対応する。
（オ）「切り換え前のモードと切り換え前に表示されている画像の階調値から、切り換えの前後で液晶パネルの輝度値が同じになるように」、「所定の変換式を用いて求め」られた「切り換え後に表示される画像の階調値」は、本件補正発明の「前記ディスプレイスクリーンの現在の視野角及び前記画像階調値に基づいて」「予め設定された調整曲線によって」「決定」される「目標階調値」であって、「前記予め設定された調整曲線の各点において、現在の視野角における現在の画像階調値に対応するスクリーンの輝度と切り換えられた後の視野角における目標階調値に対応するスクリーンの輝度とが同じである」ように「決定」される「目標階調値」に対応する。
（カ）そして、引用発明では、「
モード切替時における画像の視覚的な外観を維持する
画像のグレーレベルを調整する
輝度差を補正できる
　そうすると、上記相違点２の点は、当業者に自明な数式の変形を文章で述べたものにすぎず、実質的な相違点ではない。
　ウ　本件補正発明の奏する効果について
　本件補正発明の奏する効果についても、引用発明、周知技術及び技術常識から当業者が予測可能な範囲内のものにすぎず、格別顕著なものであるということはできない。
　したがって、本件補正発明は、引用発明、周知技術及び技術常識に基づいて当業者が容易に発明をすることができたものである。
（５）請求人の主張について
　ア　請求人は、審判請求書において、以下の主張をしている。
「本願請求項１に係る発明と引用文献１との差異は、少なくとも「第１の予め設定の輝度曲線における画像階調と第２の予め設定の輝度曲線における画像階調との関係に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップ」及び「前記ディスプレイスクリーンの現在の視野角及び前記画像階調値に基づき、予め設定された調整曲線によって前記目標階調値を決定し、前記予め設定された調整曲線の各点において、現在の視野角における現在の画像階調値に対応するスクリーンの輝度と切り換えられた後の視野角における目標階調値に対応するスクリーンの輝度とが同じであるステップ」であります。
　本願の請求項１の上記の技術的特徴によると、現在の視野角（例えば、狭視野角）における現在の画像階調値に対応するスクリーンの輝度と、切り換えられた後の視野角（例えば、広視野角）における目標階調値に対応するスクリーンの輝度とが同じであります。すなわち、現在の視野角と切り換えられた後の視野角のスクリーンの輝度が同じであります。
　これに対して、引用文献２の明細書の段落［００１３］、［００３８］の内容によれば、例えば、ユーザが広視野モード（本願の広視野角に対応します。）から狭視野モード（本願の狭視野角に対応します。）へ切り替える場合、狭視野モード時におけるバックライトの輝度を広視野モード時におけるバックライトの輝度よりも低下させることによって、狭視野モードを狭小化させたり、狭視野モード時における画像データを広視野モード時よりも高輝度化させたりします。これからわかるように、引用文献２では、現在のモードと切替後のモードのバックライトの輝度が異なります。
　引用文献１では、第１及び／又は第２のモードで表示パネル上に形成された画像を調整して、モードを切り替えるときに、視覚的な画像の色バランス及び輝度などの視覚的外観を維持するように動作可能であることが記載されていますが、上記のように、引用文献２では、現在のモードと切替後のモードのバックライトの輝度が異なるため、引用文献２を引用文献１に組合わせる示唆が与えられていません。」
　イ　上記主張について検討すると、請求人が主張する「本願請求項１に係る発明と引用文献１との差異」は、「（３）対比」において認定した相違点２に対応するものであるところ、「（４）判断」のイにおいて説示したように、上記相違点２の点は、当業者に自明な数式の変形を文章で述べたものにすぎず実質的な相違点ではないから、請求人の上記主張は格別のものではなく、採用することはできない。
（６）小括
　以上検討のとおり、本件補正発明は、特許法２９条２項の規定により、特許出願の際独立して特許を受けることができないから、本件補正は、同法１７条の２第６項において準用する同法１２６条７項の規定に違反する。
　したがって、本件補正は、同法１５９条１項において読み替えて準用する同法５３条１項の規定により却下すべきものである。
　よって、上記補正の却下の決定の結論のとおり決定する。
第３　本願発明について
１　本願発明
　本件補正は、上記第２において説示したとおり却下されたので、本願の請求項１〜１１に係る発明は、令和２年１月１０日に提出された手続補正書により補正された特許請求の範囲の請求項１〜１１に記載された事項により特定されるとおりのものであると認められるところ、そのうち、請求項１に係る発明（以下「本願発明」という。）は次に特定されるとおりである。
「【請求項１】
　視野角の切換え命令が検出された場合、ディスプレイスクリーンの現在の視野角を決定し、且つ表示されている画像の現在の画像階調値を取得し、前記視野角の切換え命令は、前記ディスプレイスクリーンを狭視野角と広視野角との間で切り換えるように指示するためのものであり、前記ディスプレイスクリーンが狭視野角になる場合に平行バックライトを利用し、前記ディスプレイスクリーンが広視野角になる場合に発散バックライトを利用するステップと、
　前記ディスプレイスクリーンの現在の視野角及び前記画像階調値に基づいて、目標階調値を決定し、前記目標階調値は、切り換えられた後の視野角において、切り換える前のスクリーンの輝度値と同じスクリーンの輝度値を取得することができる階調値であるステップと、
　前記ディスプレイスクリーンを狭視野角と広視野角との間で切り換え、且つ前記画像の画像階調を前記目標階調値に設定するステップと、及び、
　第１の予め設定の輝度曲線及び第２の予め設定の輝度曲線に基づいて、前記予め設定された調整曲線を生成し、前記第１の予め設定の輝度曲線は、前記狭視野角における画像階調とスクリーンの輝度との関係を示すためのものであり、前記第２の予め設定の輝度曲線は、前記広視野角における画像階調とスクリーンの輝度との関係を示すためのものであるステップと、を含み、
　前記ディスプレイスクリーンの現在の視野角及び前記画像階調値に基づいて、目標階調値を決定するステップは、
　前記ディスプレイスクリーンの現在の視野角及び前記画像階調値に基づき、予め設定された調整曲線によって前記目標階調値を決定し、前記予め設定された調整曲線の各点において、現在の視野角における現在の画像階調値に対応するスクリーンの輝度と切り換えられた後の視野角における目標階調値に対応するスクリーンの輝度とが同じであるステップを含む
　ことを特徴とする視野角切換方法。」
２　原査定における拒絶の理由の概要
　原査定の拒絶の理由のうち、本願発明についての理由は、次のとおりである。
　本願発明は、下記の引用文献１及び２に記載された発明に基づいて、当業者が容易に発明をすることができたものであるから、特許法２９条２項の規定により特許を受けることができない。
　　　　　　　　　　　　　　　　記
　引用文献１：米国特許出願公開第２００９／００６７１５６号明細書
　引用文献２：特開２００８−２８１７６８号公報
（いずれも再掲）
３　引用文献に記載された事項
　上記引用文献１には、[引用発明]において認定したとおりの引用発明が記載されていると認められる。
　また、上記引用文献２には、[引用文献２記載事項]において認定したとおりの技術事項が記載されていると認められ、[周知技術]において認定したとおりの周知技術が認められる。
　さらに、特開２０１３−１５６５９４号公報（引用文献３）の記載事項から、[技術常識]において認定したとおりの技術常識が認められる。
４　対比・判断
　本願発明は、「予め設定された調整曲線」の「生成」に係る事項について、本件補正発明では「第１の予め設定の輝度曲線
における画像階調と
における画像階調との関係
　そうすると、本願発明の構成を全て含み、さらに他の構成を付加したものに相当する本件補正発明が、上記第２の２において説示したとおり、引用発明、周知技術及び技術常識に基づいて、当業者が容易に発明をすることができたものであるから、本願発明も、引用発明、周知技術及び技術常識に基づいて当業者が容易に発明をすることができたものである。
第４　むすび
　以上のとおりであるから、本願発明は、特許法２９条２項の規定により、特許を受けることができない。
　したがって、他の請求項に係る発明について検討するまでもなく、本願は拒絶すべきものである。
　よって、結論のとおり審決する。